(57)【特許請求の範囲】
【請求項１】
下部走行体の上部に旋回可能に設けられた上部旋回体の側面に、開口枠で画定される開口部を形成し、該開口部に開閉扉を回動可能に取り付けると共に、該開閉扉の内側にバッテリを収納するバッテリ収納部を備えた建設機械において、
前記バッテリ収納部は、前記バッテリを支持する支持台と、前記バッテリを前記支持台に着脱可能に固定する固定部材と、前記開閉扉を開いた状態で、前記固定部材から前記バッテリを外方に案内するガイド部材とを備え、該ガイド部材は、前記固定部材の開閉扉側の一端側下部に、上下方向に回動可能に連結され、バッテリ固定時には、前記固定部材に対して垂直状態に固定され、バッテリ案内時には、前記固定状態から回動させて、先端側を前記開口枠の下枠に載置させて水平状態とし、前記ガイド部材の表面に沿って前記バッテリを外方に案内し、
前記固定部材は、前記バッテリを載置するバッテリ載置トレイと、前記バッテリの上面に載置される押え板と、該押え板と前記バッテリ載置トレイとを繋ぐクランプ部材とで形成され、前記バッテリ載置トレイの開閉扉側の一端側下部に前記ガイド部材が回動可能に連結されることを特徴とする建設機械。
【請求項２】
前記ガイド部材は、金属板の表面に樹脂板が固着されて形成され、前記樹脂板の表面には、前記バッテリの移動を案内するガイド溝が形成されていることを特徴とする請求項１記載の建設機械。 
【発明の詳細な説明】
【技術分野】
【０００１】
本発明は、建設機械に関し、詳しくは、下部走行体の上部に旋回可能に設けられた上部旋回体に、バッテリを収納するバッテリ収納部を備えた建設機械に関する。
【背景技術】
【０００２】
従来、杭打機やクレーンなどの建設機械では上部旋回体にバッテリを収納するためのバッテリ収納部を設けたものがあり、このバッテリ収納部として、バッテリを載置する支持台に凸部を一体に形成し、該凸部に位置決めされた状態でバッテリを支持台に固定させるものがあった（例えば、特許文献１参照。）。さらに、バッテリ収納部に、バッテリを支持する支持台と、該支持台にバッテリを固定させる固定部とを設け、前記支持台に対して固定部をスライド可能に形成し、バッテリを支持台に固定させると共に、必要に応じてバッテリを収容した状態の固定部をスライドさせて、バッテリを上部旋回体から外部に移動させるものがあった（例えば，特許文献２参照。）。
【先行技術文献】
【特許文献】
【０００３】
【特許文献１】特開２００１−３２９５６７号公報
【特許文献２】特開２０１２−１９３３号公報
【発明の概要】
【発明が解決しようとする課題】
【０００４】
建設機械の上部旋回体に設けたバッテリ収納部に搭載されるバッテリは、建設機械の作業時や走行時には、バッテリ収納部内を移動したり振動することを防止するために固定しておく必要があるが、バッテリの点検や交換、バッテリ液の補充などの作業を行う際には、バッテリをバッテリ収納部から外部に取り出さなくてはならなかった。上述の特許文献１のものでは、バッテリを確実に固定することはできるが、バッテリを上部旋回体から外部に持ち出す際には、支持台に設けた凸部が支障となり、バッテリの取り出し作業が困難であった。また、特許文献２のものでは、バッテリが固定部により固定されると共に、固定部を支持台に沿ってスライドさせることにより、バッテリを上部旋回体から外部に持ち出すことができるが、固定部を支持台に沿ってスライドさせる際に、作業者はバッテリを載置した固定部を支えながらスライドさせることから、作業者に負担が掛かっていた。
【０００５】
そこで本発明は、上部旋回体に設けたバッテリ収納部にバッテリを固定できると共に、必要に応じて、バッテリをバッテリ収納部から外部に簡単に引き出すことができる建設機械を提供することを目的としている。
【課題を解決するための手段】
【０００６】
上記目的を達成するため、本発明の建設機械は、下部走行体の上部に旋回可能に設けられた上部旋回体の側面に、開口枠で画定される開口部を形成し、該開口部に開閉扉を回動可能に取り付けると共に、該開閉扉の内側にバッテリを収納するバッテリ収納部を備えた建設機械において、前記バッテリ収納部は、前記バッテリを支持する支持台と、前記バッテリを前記支持台に着脱可能に固定する固定部材と、前記開閉扉を開いた状態で、前記固定部材から前記バッテリを外方に案内するガイド部材とを備え、該ガイド部材は、前記固定部材の開閉扉側の一端側下部に、上下方向に回動可能に連結され、バッテリ固定時には、前記固定部材に対して垂直状態に固定され、バッテリ案内時には、前記固定状態から回動させて、先端側を前記開口枠の下枠に載置させて水平状態とし、前記ガイド部材の表面に沿って前記バッテリを外方に案内し、前記固定部材は、前記バッテリを載置するバッテリ載置トレイと、前記バッテリの上面に載置される押え板と、該押え板と前記バッテリ載置トレイとを繋ぐクランプ部材とで形成され、前記バッテリ載置トレイの開閉扉側の一端側下部に前記ガイド部材が回動可能に連結されることを特徴としている。
【０００７】
また、前記ガイド部材は、金属板の表面に樹脂板が固着されて形成され、前記樹脂板の表面には、前記バッテリの移動を案内するガイド溝が形成されていると好適である。
【発明の効果】
【０００８】
本発明の建設機械によれば、建設機械の作業時や走行時には、バッテリは、バッテリ収納部に収納されると共に固定部材によって固定され、バッテリ収納部内で移動したり振動することを防止できる。また、バッテリの点検や交換、バッテリ液の補充などの作業の際には、バッテリの固定状態を外し、開閉扉を開いて、固定部材に垂直状態に固定されているガイド部材を回動させ、先端側を開口枠の下枠に載置させて水平状態とすることにより、バッテリをガイド部材の表面に沿って簡単に外方へ引き出すことができ、バッテリの重量を開口枠の下枠で支持するので安定した状態で作業を行うことができる。
【０００９】
また、固定部材は、バッテリを載置するバッテリ載置トレイと、バッテリの上面に載置される押え板と、押え板とバッテリ載置トレイとを繋ぐクランプ部材とで形成されていることにより、バッテリをバッテリ載置トレイに載置し、バッテリ載置トレイと押え板との間に取り付けたクランプ部材でバッテリをバッテリ載置トレイ側に押し付けることにより、バッテリ載置トレイと押え板との間でバッテリを確実に固定することができる。さらに、クランプ部材と押え板とをバッテリ載置トレイから外すことにより、バッテリを移動可能な状態とすることができる。
【００１０】
また、ガイド部材は、金属板の表面に樹脂板を固着して形成され、樹脂板の表面にバッテリの移動を案内するガイド溝を形成したことにより、バッテリを容易にスライドさせて外方へ移動させることができる。
【図面の簡単な説明】
【００１１】
【図１】図３のＩ−Ｉ断面図である。
【図２】図３のＩＩ−ＩＩ断面図である。
【図３】本発明の一形態例を示す建設機械の要部側面図である。
【図４】図６のＩＶ−ＩＶ断面図である。
【図５】図６のＶ−Ｖ断面図である。
【図６】開閉扉を開いた状態の建設機械の要部側面図である。
【図７】建設機械の側面図である。
【発明を実施するための形態】
【００１２】
図１乃至図７は、本発明を建設機械の一種である杭打機に適用した一形態例を示している。本形態例に示す杭打機１１は、クローラ１２を備えた下部走行体１３と該下部走行体１３上に旋回可能に設けられた上部旋回体１４とで構成されたベースマシン１５と、上部旋回体１４の前部に設けられたリーダ１６と、作業状態のリーダ１６をベースマシン１５の後部側から支持する左右一対のバックステー１７とを備えおり、上部旋回体１４の後部一側には、バッテリ１８，１８を収納するバッテリ収納部１９が設けられている。
【００１３】
上部旋回体１４は、一方の側壁１４ａに開口枠２０で画定される開口部２１が形成され、開口枠２０の一方の縦枠２０ａに、垂直方向のヒンジ２２を介して開閉扉２３が開閉可能に取り付けられている。バッテリ収納部１９は、開閉扉２３の内側に設けられ、２台のバッテリ１８，１８を載置可能な支持台２４と、該支持台２４の上部に設けられ、２台のバッテリ１８，１８を固定する固定部材２５と、開閉扉２３を開いた状態で、バッテリ収納部１９からバッテリ１８，１８を外方に案内するガイド部材２６とを備えている。
【００１４】
バッテリ１８は、直方体状に形成された周知のもので、前面及び後面の上部には把手１８ａがそれぞれ設けられている。固定部材２５は、２台のバッテリ１８，１８を上部旋回体１４の前後方向に並べて載置するバッテリ載置トレイ２７と、該バッテリ載置トレイ２７に載せたバッテリ１８，１８の上面に配置される押え板２８，２８と、各押え板２８，２８とバッテリ載置トレイ２７とをそれぞれ繋ぐ４つのクランプ部材２９とで形成されている。
【００１５】
バッテリ載置トレイ２７は、上部旋回体１４の前後方向に並べたバッテリ１８，１８の外側の側面をそれぞれ囲む第１枠体２７ａ，２７ａと、両方のバッテリ１８，１８の後面を囲む第２枠体２７ｂと、バッテリ１８，１８間を仕切る仕切り板２７ｃとを備え、上面と開閉扉側面とが開口している。各第１枠体２７ａは、外面にクランプ部材２９を係合させる係合部２７ｄ，２７ｄがそれぞれ対応した位置に形成されている。押え板２８は、第１枠体２７ａ，２７ａに対して直交方向に所定の間隔を空けて、両端部を第１枠体２７ａ，２７ａから外方に突出させて配置され、第１枠体２７ａ，２７ａから突出した両端部には、挿通孔がそれぞれ形成されている。クランプ部材２９は、下端部にＪ字状のフック２９ａを備えたボルト部材２９ｂと、押え板２８の挿通孔に挿通されて上方に突出した雄ネジ部に螺合するクランプ用蝶ナット２９ｃとを備えている。
【００１６】
ガイド部材２６は、第１枠体２７ａ，２７ａの開閉扉側の一端側下部に、ヒンジ３０によって上下方向に回動可能に取り付けられ、バッテリ固定時には、バッテリ載置トレイ２７に対して垂直状態に配置されると共に、蝶ナット３１，３１でバッテリ載置トレイ２７の第１枠体２７ａ，２７ａの一端部に固定されている。ガイド部材２６は、金属板２６ａの表面に樹脂板２６ｂを固着して形成され、樹脂板２６ｂの表面には、バッテリ１８，１８の移動を案内するガイド溝２６ｃ，２６ｃが形成されている。
【００１７】
上述の杭打機１１は、作業時や走行時には、バッテリ収納部１９にバッテリ１８，１８が収容され、開閉扉２３が閉じた状態となっている。このとき、バッテリ１８，１８は、バッテリ載置トレイ２７に載置され、上面には押え板２８，２８が配置され、第１枠体２７ａ，２７ａの各係合部２７ｄにボルト部材２９ｂのフック２９ａをそれぞれ係合させると共に、押え板２８のボルト挿通孔からボルト部材２９ｂの先端部を突出させ、突出したボルト部材２９ｂの先端部にクランプ用蝶ナット２９ｃがそれぞれ螺着される。これにより、押え板２８，２８によってバッテリ１８，１８がバッテリ載置トレイ２７側へ押し付けられると共に、第１枠体２７ａ，２７ａと仕切り板２７ｃとによって、バッテリ１８，１８の車体前後方向の移動が規制される。さらに、ガイド部材２６は、バッテリ載置トレイ２７の開閉扉側の一端に、垂直状態に配置され、蝶ナット３１，３１で第１枠体２７ａ，２７ａに固定され、バッテリ１８，１８の前面とガイド部材２６のガイド溝２６ｃとが当接した状態となり、ガイド部材２６と第２枠体２７ｂとでバッテリ１８，１８の車体幅方向の移動が規制される。これにより、杭打機１１の作業時や走行時に、バッテリ１８，１８がバッテリ収納部１９内で移動したり振動したりすることが防止される。
【００１８】
また、バッテリ１８，１８の点検や交換、バッテリ液の補充などの作業を行うため、バッテリ１８，１８をバッテリ収納部１９から外部に移動させたい時には、開閉扉２３を開いて蝶ナット３１，３１を外し、バッテリ載置トレイ２７に対して垂直状態に配置されていたガイド部材２６を回動させて、先端側を開口枠２０の下枠２０ｂに載置させて水平状態とする。さらに、各クランプ用蝶ナット２９ｃをボルト部材２９ｂの先端部から取り外し、押え板２８，２８を取り外すことにより、バッテリ１８，１８を移動可能にする。次いで、各バッテリ１８に設けられた把手１８ａをそれぞれ開閉扉側へ引いて各バッテリ１８をガイド部材２６の樹脂板２６ｂに形成されたガイド溝２６ｃ，２６ｃに沿ってスライドさせ、開閉扉２３から外方に移動させることにより、バッテリ１８，１８の点検や交換、バッテリ液の補充などの作業を容易に行うことができる。
【００１９】
本形態例は上述のように、杭打機１１の作業時や移動時には、バッテリ１８，１８を固定部材２５と、垂直状態に配置したガイド部材２６とによって簡単かつ確実に固定することができ、バッテリ１８，１８がバッテリ収納部１９内を移動したり振動したりすることを防止し、バッテリ１８，１８が損傷する虞がない。さらに、バッテリ１８，１８の点検や交換、バッテリ液の補充などの作業を行う際には、ガイド部材２６によって、バッテリ１８，１８の把手１８ａ，１８ａを引くだけで、開口枠２０の下枠２０ｂで支持されたガイド部材２６上をスライドさせてバッテリ１８，１８を簡単に開閉扉２３から外方に移動させることができることから、大型作業機械に設けられている大型のバッテリの場合でも、作業者の負担を軽減させることができると共に作業性の向上を図ることができる。また、開口枠２０の下枠２０ｂでガイド部材２６を支持するようにしているので、別に支持部材を設ける場合に比べて部品点数の削減や安定性の向上を図ることができる。
【００２０】
なお、本発明は上述の形態例に限るものではなく、バッテリ収納部に収納されるバッテリの台数は任意であり、バッテリの台数によって、支持台の大きさや、バッテリ載置トレイの形状は適宜変更すればよい。また、押え板やクランプ部材は、バッテリを着脱可能に固定することができれば、どのような構造でも差し支えない。さらに、ガイド部材の樹脂板の表面にガイド溝を備えていないものでもよく、ガイド部材が金属板で形成されているものでもよい。また、杭打機以外のクレーンなどの各種建設機械に適用が可能である。
【符号の説明】
【００２１】
１１…杭打機、１２…クローラ、１３…下部走行体、１４…上部旋回体、１５…ベースマシン、１６…リーダ、１７…バックステー、１８…バッテリ、１８ａ…把手、１９…バッテリ収納部、２０…開口枠、２０ａ…縦枠、２０ｂ…下枠、２１…開口部、２２…ヒンジ、２３…開閉扉、２４…支持台、２５…固定部材、２６…ガイド部材、２６ａ…金属板、２６ｂ…樹脂板、２６ｃ…ガイド溝、２７…バッテリ載置トレイ、２７ａ…第１枠体、２７ｂ…第２枠体、２７ｃ…仕切り板、２７ｄ…係合部、２８…押え板、２９…クランプ部材、２９ａ…フック、２９ｂ…ボルト部材、２９ｃ…クランプ用蝶ナット、３０…ヒンジ、３１…蝶ナット 
【図１】
0006444148.tif 000002
【図２】
0006444148.tif 000003
【図３】
0006444148.tif 000004
【図４】
0006444148.tif 000005
【図５】
0006444148.tif 000006
【図６】
0006444148.tif 000007
【図７】
0006444148.tif 000008